(57)【特許請求の範囲】
【請求項１】
内容物を収納する収納部と前記収納部から延びて詰め替え時に前記内容物の流路となる折曲可能な可撓性の注出路とを有する詰め替え容器の、前記注出路に取り付けられる詰め替え容器用スパウトにおいて、
前記注出路の外周面に接着される接着部と、
前記注出路との間に前記内容物の充填先となる相手容器の注入口が入り込み得る間隙を形成する係合部と、を備え、
前記係合部は、
前記内容物の詰め替え時に、前記内容物の充填先となる相手容器の注入口に係合されるとともに、前記間隙に前記相手容器の注入口が入り込むことにより、前記注入口に挿入された前記注出路の挿入状態を保持する、
ことを特徴とする詰め替え容器用スパウト。
【請求項２】
前記係合部は、前記接着部よりも前記収納部から遠い側に設けられて前記注入口の外周面に係合される、
ことを特徴とする請求項１に記載の詰め替え容器用スパウト。
【請求項３】
前記係合部は、軸心に沿って延びる筒状に形成され、内周面に、前記注入口の外周面に螺刻された雄ねじ部に係脱可能な雌ねじ部を有する、
ことを特徴とする請求項２に記載の詰め替え容器用スパウト。
【請求項４】
前記係合部は、前記軸心を通る平面で分割された２つのパーツを相互に組み合わせることで構成されている、
ことを特徴とする請求項３に記載の詰め替え容器用スパウト。
【請求項５】
前記２つのパーツのうちの、一方のパーツにのみ、前記収納部に近い側に前記接着部が設けられている、
ことを特徴とする請求項４に記載の詰め替え容器用スパウト。
【請求項６】
前記注出路の外周面に接着されて前記接着部を構成する第１筒状部材と、前記第１筒状部材によって回転可能に支持されるとともに、前記注入口の外周面に螺刻された雄ねじ部に係脱可能な雌ねじ部を有して前記係合部を構成する第２筒状部と、を有する、
ことを特徴とする請求項２に記載の詰め替え容器用スパウト。
【請求項７】
前記係合部は、先端側の開口部を閉蓋する開閉自在なキャップを有する、
ことを特徴とする請求項３ないし６のいずれか１項に記載の詰め替え容器用スパウト。
【請求項８】
前記係合部は、引き延ばすと前記係合部から突出する前記注出路の先端側を折り畳んだ状態で収納して前記キャップにより前記開口部が閉蓋される、
ことを特徴とする請求項７に記載の詰め替え容器用スパウト。
【請求項９】
前記係合部は、前記注入口に設けられた雄ねじ部の基端側の首部に係合して、前記首部を直径方向から弾性的に把持する係脱可能なばね状部材によって構成されている、
ことを特徴とする請求項２に記載の詰め替え容器用スパウト。
【請求項１０】
前記係合部は、前記注入口の内側に挿入される筒状部材によって形成され、
前記筒状部材は、内周面に、前記注出路の外周面に接着される接着部を有し、外周面に、スカート状に広がって前記注入口の内周面の基端部の肩部に係合可能であるとともに、拡開方向が前記筒状部材の軸心に沿って反転可能な可撓性の拡開部を有する、
ことを特徴とする請求項１に記載の詰め替え容器用スパウト。
【請求項１１】
相手容器に詰め替える内容物を収納した詰め替え容器において、
内容物を収納する収納部と、
前記収納部から延びて詰め替え時に前記内容物の流路となる折曲可能な注出路と、
前記注出路の外周面に設けられた詰め替え容器用スパウトと、を備え、
前記詰め替え容器用スパウトが、請求項１ないし１０のいずれか１項に記載の詰め替え容器用スパウトである、
ことを特徴とする詰め替え容器。
【発明の詳細な説明】
【技術分野】
【０００１】
本発明は、詰め替え容器の収納部から延びる注出路を詰め替え先の相手容器の注入口に挿入して、内容物を詰め替える際に使用する詰め替え容器用スパウト、及び詰め替え容器に関する。
【背景技術】
【０００２】
近年、シャンプー容器、リンス容器に代表されるように、省資源や廃棄物の減容を目的として、容器内に内容物（液体）がなくなった場合には、専用の詰め替え容器に収納された内容物を、充填先となる相手容器に対して補充する、いわゆる詰め替えが行われている。この際、相手容器が倒れたり、内容物がこぼれたりしないように、詰め替え容器に設けたスパウトを相手容器に係合（嵌合）させる技術が提案されている（例えば、特許文献１〜４参照）。
【０００３】
これら特許文献１〜４に開示されている詰め替え容器のスパウトは、例えば、合成樹脂等によって形成されていて、内容物を詰め替える際には、このスパウトを、同様に合成樹脂等で形成されている相手容器の筒状の注入口に嵌合させて詰め替えを行う。これらのスパウトは、詰め替え容器を製造する際に詰め替え容器と一体に形成されており、また、詰め替え時に内容物（例えば、液体）が通過する流路となる部分と、相手容器の注入口に係合される部分とを有している。
【先行技術文献】
【特許文献】
【０００４】
【特許文献１】特開２００６−８９１３３号公報
【特許文献１】特開平９−１９３９５４号公報
【特許文献１】特開２００７−３０２３１８号公報
【特許文献１】特開２０００−３１３４２２号公報
【発明の概要】
【発明が解決しようとする課題】
【０００５】
しかしながら、上記特許文献１〜４のスパウトは、内容物の流路となる部分と、相手容器の注入口に係合する部分とを設ける必要があり、その分、構成が複雑になるという問題があった。特に、流路を通る内容物が液体の場合には、流路となる部分は、液体が漏れないように水密，油密等に構成する必要がある。このため、相手容器及び詰め替え容器全体が密閉状態となり、内容物の詰め替えが円滑に行われない、詰め替え容器から絞り出しにくいといった問題がある。なお、このような不具合を防止するためには、例えば、専用のエア抜き（空気抜き）を設ける必要がある。また、上記スパウトは、詰め替え容器と一体に形成されたり、一部が詰め替え容器内に入り込んでいたりするため、例えば、既に内容物が充填されて製品として完成した詰め替え容器にさらに付加して設けることは困難であった。
【０００６】
本発明は、内容物の流路に相当する部分が不要で構成が簡単であり、また、専用のエア抜きを設ける必要がなく、さらに、内容物が充填されて製品として完成した詰め替え容器に対して簡単に付加することができる詰め替え容器用スパウト、及び詰め替え容器を提供することを目的とするものである。
【課題を解決するための手段】
【０００７】
請求項１に係る発明は、内容物を収納する収納部と前記収納部から延びて詰め替え時に前記内容物の流路となる折曲可能な可撓性の注出路とを有する詰め替え容器の、前記注出路に取り付けられる詰め替え容器用スパウトにおいて、前記注出路の外周面に接着される接着部と、前記注出路との間に前記内容物の充填先となる相手容器の注入口が入り込み得る間隙を形成する係合部と、を備え、前記係合部は、前記内容物の詰め替え時に、前記内容物の充填先となる相手容器の注入口に係合されるとともに、前記間隙に前記相手容器の注入口が入り込むことにより、前記注入口に挿入される前記注出路の挿入状態を保持する、ことを特徴とする。
【０００８】
請求項２に係る発明は、請求項１に係る詰め替え容器用スパウトにおいて、前記係合部は、前記接着部よりも前記収納部から遠い側に設けられて前記注入口の外周面に係合される、ことを特徴とする。
【０００９】
請求項３に係る発明は、請求項２に係る詰め替え容器用スパウトにおいて、前記係合部は、軸心に沿って延びる筒状に形成され、内周面に、前記注入口の外周面に螺刻された雄ねじ部に係脱可能な雌ねじ部を有する、ことを特徴とする。
【００１０】
請求項４に係る発明は、請求項３に係る詰め替え容器用スパウトにおいて、前記係合部は、前記軸心を通る平面で分割された２つのパーツを相互に組み合わせることで構成されている、ことを特徴とする。
【００１１】
請求項５に係る発明は、請求項４に係る詰め替え容器用スパウトにおいて、前記２つのパーツのうちの、一方のパーツにのみ、前記収納部に近い側に前記接着部が設けられている、ことを特徴とする。
【００１２】
請求項６に係る発明は、請求項２に係る詰め替え容器用スパウトにおいて、前記注出路の外周面に接着されて前記接着部を構成する第１筒状部材と、前記第１筒状部材によって回転可能に支持されるとともに、前記注入口の外周面に螺刻された雄ねじ部に係脱可能な雌ねじ部を有して前記係合部を構成する第２筒状部と、を有する、ことを特徴とする。
【００１３】
請求項７に係る発明は、請求項３ないし６のいずれか１項に係る詰め替え容器用スパウトにおいて、前記係合部は、先端側の開口部を閉蓋する開閉自在なキャップを有する、ことを特徴とする。
【００１４】
請求項８に係る発明は、請求項７に係る詰め替え容器用スパウトにおいて、前記係合部は、引き延ばすと前記係合部から突出する前記注出路の先端側を折り畳んだ状態で収納して前記キャップにより前記開口部が閉蓋される、ことを特徴とする。
【００１５】
請求項９に係る発明は、請求項２に係る詰め替え容器用スパウトにおいて、前記係合部は、前記注入口に設けられた雄ねじ部の基端側の首部に係合して、前記首部を直径方向から弾性的に把持する係脱可能なばね状部材によって構成されている、ことを特徴とする。
【００１６】
請求項１０に係る発明は、請求項１に係る詰め替え容器用スパウトにおいて、前記係合部は、前記注入口の内側に挿入される筒状部材によって形成され、前記筒状部材は、内周面に、前記注出路の外周面に接着される接着部を有し、外周面に、スカート状に広がって前記注入口の内周面の基端部の肩部に係合可能であるとともに、拡開方向が前記筒状部材の軸心に沿って反転可能な可撓性の拡開部を有する、ことを特徴とする。
【００１７】
請求項１１に係る発明は、詰め替え容器において、相手容器に詰め替える内容物を収納した詰め替え容器において、内容物を収納する収納部と、前記収納部から延びて詰め替え時に前記内容物の流路となる折曲可能な注出路と、前記注出路の外周面に設けられた詰め替え容器用スパウトと、を備え、前記詰め替え容器用スパウトが、請求項１ないし１０のいずれか１項に係る詰め替え容器用スパウトである、ことを特徴とする。
【発明の効果】
【００１８】
請求項１の発明によれば、内容物の詰め替え時に、係合部は、相手容器の注入口に係合されて、折曲可能な注出路を注入口に挿入された状態で保持することができるので、詰め替え容器に収納された内容物を、注出路を介して相手容器に移し替える（詰め替える）ことができる。この際、内容物が通る注出路は、詰め替え容器側のものをそのまま使用することができるので、従来のものとは異なり、スパウト自体には、流路に相当する部分を設ける必要がなく、その分、構成を簡略化することができる。
【００１９】
また、係合部は、単に、注出路を保持するためのものであるので、相手容器の注入口に密着させる必要がないので、専用のエア抜きを設けることなく、内容物の詰め替えを円滑に行うことができ、例えば、詰め替え容器がパウチである場合には、詰め替え容器から内容物を絞り出すのが容易となる。
【００２０】
さらに、従来のスパウトが詰め替え容器と一体に形成されたり、一部が詰め替え容器本体内に入り込んでいたりするのとは異なり、詰め替え容器側の注出路の外周面に接着することで設けることができるので、既に内容物が充填された製造後の詰め替え容器に対して設けたり、あるいは、製造における最終工程で設けたりすることが可能である。
【００２１】
請求項２の発明によれば、係合部は、接着部よりも収納部から遠い側に設けられて注入口の外周面に係合されるので、相手容器の注入口の内周面側と外周面側とのいずれにも係合可能である。
【００２２】
請求項３の発明によれば、係合部は、先端側における内周面の雄ねじ部を、注入口の外周面の雄ねじに部に係合（螺合）させることで、確実に注入口に取り付けられて、注出路を保持することができる。
【００２３】
請求項４の発明によれば、係合部は、軸心を通る平面で分割された２つのパーツを相互に組み合わせることで構成されているので、注出路に対して容易に取り付けることができる。
【００２４】
請求項５の発明によれば、例えば、注出路が管状ではなく、シート状に形成されている場合であっても、分割状態の一方のパーツに対して接着部を設けるのは容易である。
【００２５】
請求項６の発明によれば、相手容器の注入口の雄ねじ部に対して、第２筒状部を回転させることで係合させることができる。
【００２６】
請求項７の発明によれば、係合部の開口部をキャップによって閉蓋することで、外部から注出路を見えなくすることができる。
【００２７】
請求項８の発明によれば、注出路が長い場合であっても、先端側を折り畳んで係合部の内側に収納することができ、また、詰め替え時には、キャップを開いて内側から注出路の先端側を引き出して長く使用することができるので、内容物の通路（流路）となる注出路を相手容器の注入口の奥まで挿入した状態で、この注出路を介して詰め替えを行うことができる。
【００２８】
請求項９の発明によれば、係合部は、ばね状部材によって注入口の首部を挟持することで、注出路の挿入状態を保持することができる。
【００２９】
請求項１０の発明によれば、スカート状の可撓性の拡開部を、注入口の内周面の基端部の肩部に係合させることで、注出路の挿入状態を保持することができる。また、詰め替え後には、係合部を強く引っ張ることにより、拡開部の拡開方向を反転させることができるので、係合部を注入口の内周面側から簡単に引き抜くことができる。
【００３０】
請求項１１の発明によれば、詰め替え容器は、上記請求項１ないし１０の効果を奏する詰め替え容器用スパウトを備えているので、詰め替え容器として、上述の効果を奏することができる。
【図面の簡単な説明】
【００３１】
【図１】実施形態１のスパウト１を説明する図である。
【図２】実施形態１のスパウト１の変形例を説明する図である。
【図３】実施形態２のスパウト２を説明する図である。
【図４】実施形態３のスパウト３を説明する図である。
【図５】実施形態４のスパウト４を説明する図である。
【図６】実施形態５のスパウト５を説明する図である。
【図７】実施形態６のスパウト６を説明する図である。
【図８】実施形態７のスパウト７を説明する図である。
【図９】（Ａ）〜（Ｆ）は実施形態６のスパウト６の変形例であるスパウト６Ａを説明する図である。
【発明を実施するための形態】
【００３２】
以下、本発明の実施形態を図面に基づき詳述する。なお、各図面において、同一又は類似の構成のものは同じ符号を付して、これらについての重複説明は適宜省略するものとする。また、各図面においては、説明に不要なものは、適宜、図示を省略している。
＜実施形態１＞
【００３３】
図１〜図２を参照して、本発明を適用した実施形態１に係る詰め替え容器用スパウト１について説明する。なお、以下の説明では、詰め替え容器１０が、廃棄時の減容効果が高い軟包装パウチである場合を例に説明する。
【００３４】
図１に示すように、詰め替え容器１０は、可撓性を有する１枚又は複数枚のフィルムを張り合わせることによって所定の形態に形成されている。ここで、フィルムとしては、例えば、アルミ箔、ナイロン、ポリエステル、ポリエチレン、ポリプロピレン等で形成されたものを使用することができる。また、所定の形態としては、例えば、三方シール袋、四方シール袋、ピロー袋、封筒貼り、スタンドパウチ等の任意のものを採用することができる。なお、以下の説明では、形態としては、シャンプー，リンス等の詰め替え容器に多用されているスタンドパウチである場合を例に説明する。スタンドパウチは、内容物を相手容器に詰め替えた後は、廃棄物となるが、この際、シート状に潰して減容することが可能である。
【００３５】
詰め替え容器１０は、表側（一方の面）を構成するフィルムＦ１と、裏側（他方の面）を構成するフィルムＦ２と、全体を自立させるべく底部を構成するフィルムＦ３（不図示）との、合計３枚のフィルムをそれぞれの周端縁１３で張り合わせることで製袋されており、内側には、内容物（シャンプー液，リンス液等）が密封状態で収納されている。なお、以下では、特にことわらない限り、「詰め替え容器」という言葉を、内容物を含む場合と含まない場合との双方について使用する。
【００３６】
詰め替え容器１０は、内容物を収納する収納部１１と、この収納部１１から延びる注出路１２とを備えて構成されている。なお、実際には、収納部１１と注出路１２とは一体に形成されているが、説明の便宜上、図１中の二点鎖線Ｌ１近傍を境に、内容物が収納される側を収納部１１とし、この収納部１１に突設されて、内容物の詰め替え時には、内容物の通路（流路）となる部分を注出路１２とする。
【００３７】
３枚のフィルムＦ１〜Ｆ３で構成された収納部１１は、内容物が収納された状態においては、その内容物により、底部（下部）から中間部にかけては表側のフィルムＦ１と裏側のフィルムＦ２との距離が離れて、表裏方向に膨らんでいる。そして、上部に至ると、表裏のフィルムＦ１，Ｆ２間の距離が徐々に近接して厚さが薄くなり、上端近傍では、表裏のフィルムＦ１，Ｆ２がくっついて略シート状になっている。
【００３８】
注出路１２は、上述のフィルムＦ１，Ｆ２の一部によって構成されており、詰め替え容器１０の自立状態においては、ここには内容物が入り込んでいないので、表裏のフィルムＦ１，Ｆ２がくっついて略シート状になっており、紙と同様に、折ったり曲げたり湾曲したりすることができるようになっている。つまり、折曲可能となっている。注出路１２は、基端部（下端部）１２ａが収納部１１に連通し、先端部（上端部）１２ｂが上方に延びるように形成されている。注出路１２の先端部１２ｂには、例えば、使用者が切り取り線Ｌ２から手で切り取ることができる切除部１２ｃが設けられていて、この切除部１２ｃを切除することで、内容物の注出を可能にする開口部が形成される。注出路１２は、内容物の詰め替え時には、内容物の充填先となる相手容器２０に設けられた円筒状の注入口２１の内側に挿入される。なお、注出路１２は、内容物の詰め替え時には、上述の切除部１２ｃが切除され、相手容器２０の注入口２１の内側、つまり内周面１２ａに挿入された状態で、注出路１２の内側を内容物が通過する（流れる）ことになるが、このときには、内容物の圧力により管状に形成される。注出路１２には、詰め替え容器用スパウト１が取り付けられている。
【００３９】
詰め替え容器用スパウト（以下単に「スパウト」という。）１は、上述の注出路１２の外周面に接着されている。なお、ここで、注出路１２の外周面とは、上述のように、注出路１２は、詰め替え時にその内側を内容物が通過する際には、管状になるため、その時の外周面という意味であり、内容物の詰め替え前の、詰め替え容器１０の自立時には、この外周面は、表裏のフィルムＦ１，Ｆ２の外側に露出されている面に相当する。
【００４０】
本実施形態のスパウト１は、全体が天部も底部もない、略円筒形に形成されている。スパウト１は、上述の詰め替え容器１０の収納部１１に近い基端側（注出路１２の基端部１２ａ側）に接着部３１を有し、収納部１１から遠い先端側（注出路１２の先端部１２ｂ側）には、係合部３２を有している。
【００４１】
接着部３１（図１中の斜線で示す部分）は、略円筒状のスパウト１の、基端側における内周面の略全周にわたって、したがって、注出路１２の表裏のフィルムＦ１，Ｆ２の略全周にわたって設けられている。このため、注出路１２は、この接着部３１が設けられることにより、内側を内容物が通らない状態においても、略環状に形成されることになる。ここで、接着部３１としては、接着剤を使用した接着や、溶融を利用した接着によって形成することができる。なお、接着部３１は、完全に全周ではなく、少なくとも一部に、詰め替え時のエア抜き（空気抜き）となる部分を接着しないで残しておくとよい。
【００４２】
本実施形態においては、接着部３１は、スパウト１の基端側に設けられ、先端側には設けられていない。つまり、スパウト１は、基端側においては、接着部３１を介して注出路１２に接続されているが、先端側においては注出路１２からは離間されていて、スパウト１の先端側と、注出路１２のうちの、この先端側に対応する部分との間には、相手容器２０の円筒状の注入口２１が入り込み得る間隙Ｇが形成されている。
係合部３２は、雌ねじ部３３を有している。上述の相手容器２０の注入口２１の外周面２１ｂには、雄ねじ部２２が螺刻されている。一方、略円筒状に形成されたスパウト１の係合部３２の内周面には、注入口２１の雄ねじ部２２に係脱可能な雌ねじ部３３が形成（螺刻）されている。
【００４３】
本実施形態のスパウト１は、この係合部３２の雌ねじ部３３を、注入口２１の雄ねじ部２２に螺合させることにより、注入口２１に係合され、この係合により、詰め替え容器１０の注出路１２を、注入口２１の内周面２１ａ側に挿入された状態に保持することができるようになっている。
【００４４】
なお、スパウト１の材質としては、ポリエチレンやポリプロピレンをはじめ、他の合成樹脂を使用することができる。
【００４５】
上述のスパウト１は、内容物が空になった相手容器２０に対して以下のようにして使用する。
【００４６】
図１に示すように、内容物が収納された詰め替え容器１０を自立させ、あるいはスパウト１が上側に位置するように一方の手で持ちながら、注出路１２における切り取り線Ｌ２の下方を一方の手の指で掴み、他方の手の指で切除部１２ｃを掴んで、切り取り線Ｌ２から切除部１２ｃを除去して注出路１２の先端部１２ｂを開口させる。図１に示すように、空になった相手容器２０を上下逆さにして（注入口２１が下方を向くようにして）他方の手で持ち、注入口２１の内周面２１ａ側に、切除部１２ｃを切除した状態の注出路１２の先端部１２ｂを挿入し、その後、相手容器２０全体を回転させて、注入口２１の雄ねじ部２２を、スパウト１の雌ねじ部３３に螺合させる。その後、全体を上下逆さにする。すると、詰め替え容器１０側の収納部１１に収納されていた内容物が、注出路１２を管状に膨らませてこの内側を通過して相手容器２０側に充填される。
【００４７】
本実施形態によれば、詰め替え時に相手容器２０の注入口２１に挿入された注出路１２の挿入状態を、スパウト１の雌ねじ３３を注入口２１の雄ねじ部２２に螺合させることで、保持することができるので、詰め替え時に相手容器２０から手を離したり、詰め替え容器１０側の注出路１２が揺れ動いたりしても、相手容器２０から注出路１２が外れることがなく、したがって、詰め替え中に内容物がこぼれるおそれがない。また、スパウト１の雌ねじ部３３を、相手容器２０の注入口２１の雄ねじ部２２に螺合させていても、上述のように、接着部３１の一部を接着しないで残しているので、この部分が内容物の詰め替え時にエア抜き（空気抜き）となるので、専用のあるいは特別なエア抜きを設けることなく、内容物の円滑な詰め替えが可能となる。
【００４８】
また、詰め替え時の内容物の通路（流路）となる注出路１２は、詰め替え容器１０側のものをそのまま流用することができるので、スパウト１には、通路に相当する部分を設ける必要がなく、その分、スパウト１の構成を簡略化することができる。つまり、従来のスパウトが、通路に相当する部分と係合部に相当する部分との双方が必要であったのとは異なり、本実施形態１のスパウト１は、通路に相当する部分は設ける必要がなく、係合部に相当する部分のみを設ければ足る。なお、この点は、後述するスパウト１〜７についても同様である。
【００４９】
さらに、スパウト１は、詰め替え容器１０側の注出路１２の外周面に接着で設けることができるので、内容物が収納されて製品として完成した後の詰め替え容器１０に対して、特別な設備を設ける等することなく、簡単に取り付けることができる。あるいは、製品を製造する際の最終工程として、注出路１２に取り付けることができる。
【００５０】
図２に本実施形態のスパウト１の変形例として、スパウト１Ａを示す。スパウト１Ａの基端側の接着部３１は、上述では、係合部３２と一体の筒状に形成されていたが、図示例のものは、これに代えて、筒状の部材を、その軸心を含む平面で切ったような、半割状の部材３４によって構成してもよく、この半割状の部材３４の内周面に接着部３１を設けて、注出路１２を構成する一方のフィルム、例えば、表側のフィルムＦ１に半割状の部材３４を接着するようにしてもよい。なお、略円筒状の係合部３２の内周面には、図１に示すスパウト１と同様、雌ねじ部３３が螺刻され、また、この係合部３２と半割状の部材３４とは、連結部３４ａによって連結されている。このスパウト１Ａによると、シート状の表側のフィルムＦ１のみを半割状の部材３４に接着すれば十分であるので、接着作業の簡素化を図ることができる。また、円筒状の係合部３２の基端側と、注出路１２との間が全周にわたってエア抜きとして作用する。
＜実施形態２＞
【００５１】
図３を参照して、本発明を適用した実施形態２のスパウト２について説明する。
【００５２】
スパウト２全体は、略円筒状に形成されているが、本実施形態では、スパウト２の軸心Ｃを通る平面（不図示）によって分割された２つのパーツ３５，３５を接着又は嵌合によって組み合わせることで、略円筒状のスパウト２を構成している。本実施形態では、注出路１２（図１参照）との間の接着部３１（図３中の斜線部分）は、一方のパーツ３５の基端側の内周面にのみ設け、他方のパーツ３５には設けない。一方のパーツ３５の基端側を、注出路１２の一方のフィルム、例えば、表側のフィルムＦ１に接着し、その後、２つのパーツ３５，３５を組み合わせて略円筒状のスパウト２を構成する。
【００５３】
本実施形態によれば、注出路１２に対するスパウト２の接着作業を簡素化することができる。すなわち、２つのパーツ３５，３５の基端部を双方とも、注出路１２に接着する場合には、基端部が環状に形成されるのに合わせて、表裏のフィルムＦ１，Ｆ２が合わさってシート状になっている排出路１２を一旦、管状に膨らませる必要があるが、一方のパーツ３５のみを接着する場合には、このような必要はなく、接着作業が簡単になる。なお、２つのパーツ３５，３５の内周面には、これらを組み合わせてスパウト２を構成した際に、相手容器２０の雄ねじ部２２に螺合し得る雌ねじ部３３（不図示）が形成されている。
＜実施形態３＞
【００５４】
図４を参照して、本発明を適用した実施形態３のスパウト３について説明する。
【００５５】
本実施形態３のスパウト３は、接着部３１と係合部３２とをそれぞれ異なる部材である第１筒状部材３６と第２筒状部材３７とに設け、これら第１筒状部材３６と第２筒状部材３７とを組み合わせて、スパウト３を構成している。
【００５６】
第１筒状部材３６は、基端側に配置されて、その内周面に設けた接着部３１を介して、詰め替え容器１０側の注出路１２に接着されている。一方、第２筒状部材３７は、先端側に配置されるとともに、第１筒状部材３６によって回転自在に支持されている。なお、回転自在に支持するための構成としては、例えば、第１筒状部材３６の内周面に全周にわたって環状のガイド溝を形成し、一方、第２筒状部材３７の外周面にはこの環状のガイド溝に係合する凸部を、周方向を４等分する位置のそれぞれに設けることで、第１筒状部材３６に対して、第２筒状部材３７を回転自在とすることができる。第２筒状部材３７の内周面には、係合部３２として、相手容器２０の雄ねじ部２２に螺合し得る雌ねじ部３３が形成されている。
【００５７】
本実施形態によれば、上述の実施形態１，２がスパウト１，２の雌ねじ部３３を相容器２０の雄ねじ部２２に螺合させる際に相手容器２０側を回転させる必要があったのとは異なり、相手容器２０は回転させないで、スパウト３の一部を構成する第２筒状部材３７を例えば、矢印Ｒ１方向に回転させることで、螺合を行うことができるため、螺合作業が簡単になる。
＜実施形態４＞
【００５８】
図５を参照して、本発明を適用した実施形態４のスパウト４について説明する。
【００５９】
本実施形態のスパウト４は、略筒状のスパウト本体４Ａの先端側の開口部４ａを閉鎖する係脱自在（開閉自在）なキャップ４０を設けている。内容物の詰め替え前には、開口部４ａにキャップ４０を係合することで、注出路１２をスパウト４内に収納して外部からの視認を阻止することができ、一方、詰め替え時には、キャップ４０を外して注出路１２を露出させることができる。なお、スパウト本体４Ａの基端側（図５中では下側）の内周面には接着部３１が設けられ、先端側（図５中では上側）の内周面には、係合部３２として雌ねじ部３３が設けてある。
＜実施形態５＞
【００６０】
図６を参照して、本発明を適用した実施形態５のスパウト５について説明する。
【００６１】
本実施形態のスパウト５は、略筒状のスパウト本体５Ａの内側に、注出路１２の先端側を折り畳んだ状態で収納し、さらに、キャップ４１で開口部５ａを閉蓋している。本実施形態のスパウト５によれば、詰め替え容器１０側の注出路１２を長く形成した場合でもその先端部１２ｂを折り部Ｌ３で折り畳んで、スパウト本体５Ａ内に収納し、その後、開口部５ａをキャップ４１で閉蓋することができる。注出路１２を長く形成することにより、内容物の詰め替え時に、キャップ４１を外し、この長く形成した注出路１２を矢印Ｒ２方向に引き延ばし、その後、相手容器２０の注入口２１から奥深くに挿入することができるので、詰め替え時の内容物の漏れをさらに確実になくすことができる。しかも、この長い注出路１２が折り畳まれて、スパウト本体５Ａの内側に収納され、さらに、キャップ４１によって開口部５ａが閉蓋されるので、詰め替え容器１０の販売時や取り扱い時に、長い注出路１２が邪魔になったり、外部から視認されたりするおそれがない。なお、スパウト本体５Ａの内周面における基端側には、接着部３１が設けられ、また、先端側には、係合部３２として雌ねじ部３３が設けられている。
＜実施形態６＞
【００６２】
図７を参照して、本発明を適用した実施形態６のスパウト６について説明する。
【００６３】
上述の実施形態１〜５では、スパウト１〜５の係合部３２に雌ねじ部３３を設け、この雌ねじ部３３を相手容器２０の注入口２１の雄ねじ部２２に螺合させることで、スパウト１〜５を相手容器２０に係合させていたが、本実施形態６では、これに代えて、ばね状部材４２を介して、スパウト６を相手容器２０に係合させている。
【００６４】
スパウト６は、基端側に図３に示すものと同様、半割状の部材３４によって接着部３１を構成している。一方、先端側の係合部３２は、相手容器２０（図１参照）の注入口２１の雌ねじ部２２の基端側に設けられた首部２３に係脱可能なばね状部材４２によって構成されている。ばね状部材４２は、一部に切欠部４２ａを有する環状に形成されていて、首部２３をその径方向から弾性的に把持するものである。ばね状部材４２と半割状の部材３４とは連結部３４ａによって連結されている。
【００６５】
本実施形態のスパウト６によれば、内容物の詰め替え時に、まず、詰め替え容器１０の注出路１２を相手容器２０の注入口２１に挿入し、その後、ばね状部材４２の切欠部４２ａを開いて、首部２３を通過させることで、簡単に首部２３に係合させることができる。つまり、相手容器２０に対するスパウト６の係脱が容易となる。なお、スパウト６は、例えば、金属によって全体を一体に形成してもよく、また、合成樹脂によって全体を一体に形成してもよい。
【００６６】
図９を参照して、本実施形態のスパウト６の一部を変更したスパウト６Ａについて説明する。図９（Ａ）は、詰め替え容器１０の輸送時・保管時等のスパウト６Ａの状態を示す図、（Ｂ）〜（Ｄ）は、この順に、ばね状部材４２を倒した状態（倒伏姿勢）、起こした状態（起立姿勢）、反転させた状態を説明する図、（Ｅ）は、スパウト６Ａに付加したロック機構４２ｂを説明する図である。
【００６７】
図９（Ｂ）に示すように、係合部３２を構成するばね状部材４２は、ヒンジ部Ｈ１を介して連結部３４ａによって揺動可能に支持され、さらに、連結部３４ａは、ヒンジ部Ｈ２を介して半割状の部材３４によって揺動可能に支持されている。（Ａ）に示すように、詰め替え容器１０の輸送時・保管時等には、スパウト６Ａは、（Ｂ）に示す状態で、半割状の部材３４が、詰め替え容器１０の注出路１２の裏側のフィルムＦ１に接着されて接着部３４を構成することで、詰め替え容器１０の裏側のフィルムＦ２に取り付けられている。これにより、表側のフィルムＦ１の取り付けられる場合と比較して、デザイン性の向上を図ることができる。また、（Ａ），（Ｂ）に示すように、ばね状部材４２が倒された状態（倒伏姿勢）となっているので、スパウト６Ａ全体を平面に近い状態で、詰め替え容器１０の輸送・保管等をすることができる。
【００６８】
詰め替え容器１０の使用時（開封時）には、（Ｂ）に示す倒伏姿勢のばね状部材４２をヒンジ部Ｈ１を基準として略９０度引き起こして、（Ｃ）に示す起立姿勢とし、さらに、この起立姿勢を保持したまま、ばね状部材４２と連結部３４ａとを一体的に、ヒンジ部Ｈ２を基準として、略１８０度反転して、（Ｃ）に示す状態とする。これにより、スパウト６Ａ全体を、図７に示すスパウト６を略同形に構成することができ、スパウト６と同様に使用することができる。
【００６９】
図９（Ｅ）に、上述のスパウト６Ｅにロック機構４２ｂを付加した例を示す。ロック機構４２ｂは、ばね状部材４２の一方の端部に設けた突起４２ｃと、他方の端部に設けたリング４２ｄとによって構成されている。ばね状部材４２を、相手容器２０（図１参照）の注入口２１の首部２３に係合させた後、突起４２ｃにリング４２ｄを掛けてロックすることができ、これにより、詰め替え中に、ばね状部材４２が注入口２１から脱落することを確実に防止できる。なお、突起４２ｃからリング４２ｄを外すことにより、簡単にロックを解除することができる。
また、図９（Ｆ）に示すように、ロック機構４２ｂとして、相互に係脱可能なフック４２ｅ，４２ｆを設けるようにしてもよい。
＜実施形態７＞
【００７０】
図８を参照して、本発明を適用した実施形態７のスパウト７について説明する。
【００７１】
上述の実施形態１〜６のスパウト１〜６では、いずれも係合部３２を相手容器２０の注入口２１の外周面２１ｂ側に係合させていた。これに対し、本実施形態のスパウト７は、係合部３２を注入口２１の内周面２１ａ側に係合させている。
【００７２】
スパウト７は、略円筒状のスパウト本体７Ａと、その先端側に設けられたスカート状の拡開部４３とを備えており、この拡開部４３が係合部３２を構成している。拡開部４３は、薄い可撓性を有する部材によってスカート状に形成されていて、注入口２１の内周面２１ｂに挿入される際には、挿入方向の上流側に向けて、つまり、軸心に沿っての基端側（図８中では下側）に向けて拡開している。この状態でスパウト７を注入口２１の内周面２１ａに矢印Ｒ３方向に挿入すると、拡開部４３は、内周面２１ａを通過中には、周端縁４３が少し縮められた状態で移動し、内周面２１ａを通過し終えて、相手容器２０の肩部２４の内周面側を通過すると、元の状態に広がる。これにより、拡開部４３の周端縁４３ａが肩部２４の内周面側に係合されて、スパウト７が注入口２１から抜けなくなる。なお、内容物の詰め替えが終了して、スパウト７を注入口２１から抜く際には、スパウト７を注出路１２を介して、比較的強く引くことで、可撓性を有する拡開部４３は、その拡開方向が反転されるので（拡開方向の反転については、図８中の矢印Ｒ４参照）、比較的容易に抜くことができる。
【００７３】
本実施形態のスパウト７によれば、実施形態１〜６のスパウト１〜６とは異なり、注出路１２とスパウト７における先端側との間に、詰め替え時に相手容器２０の注入口２１が入り込む間隙Ｇを確保する必要がないので、スパウト７の内周面に設ける接着部３１の接着面積を広くとることができ、スパウト７を注出路１２の外周面に強力に接着することが可能になる。また、相手容器２０に対するスパウト７の係脱が、極めて容易である。
【００７４】
以上説明した実施形態１〜７では、詰め替え容器１０がスタンドパウチで、収納部１１と注出路１２とが一体に形成されている場合を例に説明したが、詰め替え容器としては、これに限定されるものではなく、注出路１２が折曲可能なものであれば、任意の詰め替え容器に対して適用することができる。例えば、収納部１１については、注出路１２と別体に形成された硬質のプラスチック製やガラス製の容器であってもよい。
【００７５】
なお、以上説明した実施形態１〜７のスパウト１〜７の各部分の組み合わせを変更して構成した別のスパウトも、本発明に含まれるものである。
＜実施形態８＞
【００７６】
本発明を適用した詰め替え容器は、図１に示すように、相手容器２０に詰め替える内容物を収納するものであり、内容物を収納する収納部１１と、収納部１１から延びて詰め替え時に内容物の流路となる折曲可能な注出路１２と、注出路１２の外周面に設けられた詰め替え容器用スパウト１〜７のいずれかのスパウトとを備えている。本発明に係る詰め替え容器は、容器全体として、上述の詰め替え容器用スパウト１〜７の効果を奏することができる。
【符号の説明】
【００７７】
１  実施形態１の詰め替え容器用スパウト（スパウト）
１Ａ  実施形態１の変形例の詰め替え容器用スパウト（スパウト）
２  実施形態２の詰め替え容器用スパウト（スパウト）
３  実施形態３の詰め替え容器用スパウト（スパウト）
４  実施形態４の詰め替え容器用スパウト（スパウト）
４ａ  開口部
５  実施形態５の詰め替え容器用スパウト（スパウト）
６  実施形態６の詰め替え容器用スパウト（スパウト）
７  実施形態７の詰め替え容器用スパウト（スパウト）
１０  詰め替え容器
１１  収納部
１２  注出路
２０  相手容器
２１  注入口
２２  雄ねじ部
２３  首部
３１  接着部
３２  係合部
３３  雌ねじ部
３５  パーツ
３６  第１筒状部
３７  第２筒状部
４０，４１  キャップ
４２  ばね状部材
４３  拡開部
Ｃ  軸心
【図１】
0005478348.tif 000002
【図２】
0005478348.tif 000003
【図３】
0005478348.tif 000004
【図４】
0005478348.tif 000005
【図５】
0005478348.tif 000006
【図６】
0005478348.tif 000007
【図７】
0005478348.tif 000008
【図８】
0005478348.tif 000009
【図９】
0005478348.tif 000010